(57)【要約】【課題】表示時間の制限がある画像表示装置での表示品質を向上することができる技術を提供する。【解決手段】本発明の画像表示装置は、表示輝度の範囲である第１輝度範囲内の表示輝度よりも高い表示輝度の範囲である第２輝度範囲内の表示輝度での表示の時間が閾値以下に制限された制限状態を有する画像表示装置であって、入力動画データで想定された表示輝度である想定輝度に関する想定輝度情報を取得する取得手段と、前記入力動画データ、前記想定輝度情報、及び、前記制限状態に基づいて、前記第２輝度範囲内の表示輝度での表示の時間が前記閾値以下となるように、表示を制御する制御手段と、を有する。【選択図】図１
2017151141.tif 000002
【特許請求の範囲】
【請求項１】
表示輝度の範囲である第１輝度範囲内の表示輝度よりも高い表示輝度の範囲である第２輝度範囲内の表示輝度での表示の時間が閾値以下に制限された制限状態を有する画像表示装置であって、
入力動画データで想定された表示輝度である想定輝度に関する想定輝度情報を取得する取得手段と、
前記入力動画データ、前記想定輝度情報、及び、前記制限状態に基づいて、前記第２輝度範囲内の表示輝度での表示の時間が前記閾値以下となるように、表示を制御する制御手段と、
を有することを特徴とする画像表示装置。
【請求項２】
前記制御手段は、
前記制限状態に基づいて、前記第２輝度範囲内の表示輝度での表示の時間が前記閾値以下となるように、前記想定輝度情報を補正し、
前記入力動画データと、補正後の想定輝度情報とに基づいて、前記表示を制御する
ことを特徴とする請求項１に記載の画像表示装置。
【請求項３】
前記想定輝度情報は、
前記入力動画データの各シーンの想定輝度、
前記入力動画データの各フレームの想定輝度、
前記入力動画データの各画素の想定輝度、
前記入力動画データの各画素群の想定輝度、
複数の想定輝度の最大輝度、
前記想定輝度の上限輝度、
前記第２輝度範囲内の想定輝度の継続時間である１つ以上の高輝度継続時間、
複数の高輝度継続時間の最大時間、
前記第２輝度範囲内の想定輝度の有無、及び、
前記入力動画データのデータフォーマット、
の少なくともいずれかを示す
ことを特徴とする請求項１または２に記載の画像表示装置。
【請求項４】
前記想定輝度情報は、識別子である
ことを特徴とする請求項１〜３のいずれか１項に記載の画像表示装置。
【請求項５】
前記制御手段は、前記第２輝度範囲内の表示輝度での表示の時間が前記閾値以下となるように、表示輝度を制御する
ことを特徴とする請求項１〜４のいずれか１項に記載の画像表示装置。
【請求項６】
前記制御手段は、前記入力動画データの全ての想定輝度を低減した表示輝度に、前記表示輝度を制御する
ことを特徴とする請求項５に記載の画像表示装置。
【請求項７】
前記制御手段は、前記第１輝度範囲内の想定輝度に前記表示輝度を制御し、且つ、前記第２輝度範囲内の想定輝度を低減した表示輝度に前記表示輝度を制御する
ことを特徴とする請求項５に記載の画像表示装置。
【請求項８】
前記制御手段は、継続時間が前記閾値以下である前記第２輝度範囲内の想定輝度に前記表示輝度を制御し、且つ、継続時間が前記閾値よりも長い前記第２輝度範囲内の想定輝度を低減した表示輝度に前記表示輝度を制御する
ことを特徴とする請求項７に記載の画像表示装置。
【請求項９】
前記制御手段は、継続時間が前記閾値よりも長い前記第２輝度範囲内の想定輝度について、前記閾値以下の時間だけ当該想定輝度に前記表示輝度を制御した後に、当該想定輝度を低減した表示輝度に前記表示輝度を制御する
ことを特徴とする請求項８に記載の画像表示装置。
【請求項１０】
前記制御手段は、前記第２輝度範囲内の表示輝度での表示の時間が前記閾値以下となるように、前記入力動画データの再生速度を制御する
ことを特徴とする請求項１〜４のいずれか１項に記載の画像表示装置。
【請求項１１】
前記画像表示装置の温度、
前記画像表示装置のバッテリー残量、
前記表示の総時間、
前記第２輝度範囲内の表示輝度での表示の回数、
前記第２輝度範囲内の表示輝度での表示が終了されてからの経過時間、
前記画像表示装置の画面における、前記第２輝度範囲内の表示輝度での表示が行われる領域のサイズ、及び、
前記入力動画データの階調値の特徴量、
の少なくともいずれかに基づいて前記制限状態を判断する判断手段、
をさらに有する
ことを特徴とする請求項１〜１０のいずれか１項に記載の画像表示装置。
【請求項１２】
前記制御手段は、前記第２輝度範囲内の表示輝度での表示の時間が前記閾値以下となる複数の表示のうち、前記入力動画データで想定された表示に最も近い表示が得られるように、前記表示を制御する
ことを特徴とする請求項１〜１１のいずれか１項に記載の画像表示装置。
【請求項１３】
前記画像表示装置は、発光部と、前記発光部からの光を変調することにより、動画を表示する表示パネルと、を有し、
前記制御手段は、前記入力動画データ、前記想定輝度情報、及び、前記制限状態に基づいて、前記発光部の発光輝度と、前記表示パネルの変調率とを制御する
ことを特徴とする請求項１〜１２のいずれか１項に記載の画像表示装置。
【請求項１４】
前記取得手段によって前記想定輝度情報が取得されなかった場合に、前記制御手段は、前記入力動画データ、所定の想定輝度情報、及び、前記制限状態に基づいて、前記表示を制御する
ことを特徴とする請求項１〜１３のいずれか１項に記載の画像表示装置。
【請求項１５】
前記取得手段は、前記想定輝度情報が前記画像表示装置に入力されなかった場合に、前記入力動画データの階調値の特徴量に基づいて想定輝度情報を生成する
ことを特徴とする請求項１〜１３のいずれか１項に記載の画像表示装置。
【請求項１６】
前記想定輝度情報は、前記入力動画データに含まれた補助データであり、
前記取得手段は、前記入力動画データから前記補助データを抽出することにより、前記想定輝度情報を取得する
ことを特徴とする請求項１〜１５のいずれか１項に記載の画像表示装置。
【請求項１７】
請求項１〜１６のいずれか１項に記載の画像表示装置と、情報処理装置とを有する画像表示システムであって、
前記情報処理装置は、
前記画像表示装置に入力される入力動画データに基づいて、前記入力動画データで想定された表示輝度である想定輝度に関する想定輝度情報を取得する輝度取得手段と、
前記想定輝度情報を前記画像表示装置に出力する出力手段と、
を有する
ことを特徴とする画像表示システム。
【請求項１８】
前記情報処理装置は、
前記画像表示装置の制限状態に関する制限情報を取得する制限取得手段と、
前記輝度取得手段によって取得された前記想定輝度情報のデータフォーマットを、前記制限情報のデータフォーマットに対応するデータフォーマットに変換する変換手段と、をさらに有し、
前記出力手段は、前記変換手段による変換後の想定輝度情報を出力する
ことを特徴とする請求項１７に記載の画像表示システム。
【請求項１９】
表示輝度の範囲である第１輝度範囲内の表示輝度よりも高い表示輝度の範囲である第２輝度範囲内の表示輝度での表示の時間が閾値以下に制限された制限状態を有する画像表示装置と、情報処理装置とを有する画像表示システムであって、
前記画像表示装置は、
表示輝度に関する表示輝度情報を前記取得する取得手段と、
入力動画データと前記表示輝度情報に基づいて表示を制御する制御手段と、
を有し、
前記情報処理装置は、
前記入力動画データに基づいて、前記入力動画データで想定された表示輝度である想定輝度に関する想定輝度情報を取得する輝度取得手段と、
前記制限状態に関する制限情報を取得する制限取得手段と、
前記制限情報に基づいて前記想定輝度情報を補正することにより、前記第２輝度範囲内の表示輝度での表示の時間を前記閾値以下にする前記表示輝度情報を生成する補正手段と、
前記補正手段によって生成された前記表示輝度情報を前記画像表示装置に出力する出力手段と、
を有する
ことを特徴とする画像表示システム。
【請求項２０】
前記制限情報は識別子である
ことを特徴とする請求項１８または１９に記載の画像表示システム。
【請求項２１】
前記制限取得手段は、
前記情報処理装置に対するユーザ操作、
前記情報処理装置に対する前記画像表示装置の接続、
前記情報処理装置に接続された画像表示装置の変化、
前記情報処理装置に接続された画像表示装置の数の変化、
前記入力動画データの再生に関する再生モードの変化、
前記情報処理装置に接続された画像表示装置からの要求、及び、
前記制限状態の変化、
の少なくともいずれかに応じて、前記制限情報を取得する
ことを特徴とする請求項１８〜２０のいずれか１項に記載の画像表示システム。
【請求項２２】
表示輝度の範囲である第１輝度範囲内の表示輝度よりも高い表示輝度の範囲である第２輝度範囲内の表示輝度での表示の時間が閾値以下に制限された制限状態を有する画像表示
装置と接続可能な情報処理装置であって、
前記画像表示装置に入力される入力動画データに基づいて、前記入力動画データで想定された表示輝度である想定輝度に関する想定輝度情報を取得する輝度取得手段と、
前記制限状態に関する制限情報を取得する制限取得手段と、
前記制限情報に基づいて前記想定輝度情報を補正することにより、前記第２輝度範囲内の表示輝度での表示の時間を前記閾値以下にする前記表示輝度情報を生成する補正手段と、
前記補正手段によって生成された前記表示輝度情報を前記画像表示装置に出力する出力手段と、
を有することを特徴とする情報処理装置。
【請求項２３】
表示輝度の範囲である第１輝度範囲内の表示輝度よりも高い表示輝度の範囲である第２輝度範囲内の表示輝度での表示の時間が閾値以下に制限された制限状態を有する画像表示装置の制御方法であって、
入力動画データで想定された表示輝度である想定輝度に関する想定輝度情報を取得するステップと、
前記入力動画データ、前記想定輝度情報、及び、前記制限状態に基づいて、前記第２輝度範囲内の表示輝度での表示の時間が前記閾値以下となるように、表示を制御するステップと、
を有することを特徴とする画像表示装置の制御方法。
【請求項２４】
表示輝度の範囲である第１輝度範囲内の表示輝度よりも高い表示輝度の範囲である第２輝度範囲内の表示輝度での表示の時間が閾値以下に制限された制限状態を有する画像表示装置と接続可能な情報処理装置における情報処理方法であって、
前記画像表示装置に入力される入力動画データに基づいて、前記入力動画データで想定された表示輝度である想定輝度に関する想定輝度情報を取得するステップと、
前記制限状態に関する制限情報を取得するステップと、
前記制限情報に基づいて前記想定輝度情報を補正することにより、前記第２輝度範囲内の表示輝度での表示の時間を前記閾値以下にする前記表示輝度情報を生成するステップと、
生成された前記表示輝度情報を前記画像表示装置に出力するステップと、
を有することを特徴とする情報処理方法。
【請求項２５】
請求項２３に記載の画像表示装置の制御方法の各ステップをコンピュータに実行させることを特徴とするプログラム。
【請求項２６】
請求項２４に記載の情報処理方法の各ステップをコンピュータに実行させることを特徴とするプログラム。
【発明の詳細な説明】
【技術分野】
【０００１】
本発明は、画像表示装置、画像表示システム、情報処理装置、画像表示装置の制御方法、及び、情報処理方法に関する。
【背景技術】
【０００２】
画像データに基づく画像の表示における表示輝度（画面の輝度）を、画像データに含まれたメタデータ、画像データのデータフォーマット、等に従って制御する技術が提案されている。例えば、画像データの規格であるＳＭＰＴＥ  ＳＴ．２０８４では、１００００ｃｄ／ｍ２までの表示輝度が定義されている。そして、ＳＭＰＴＥ  ＳＴ．２０８４の画像データが使用された場合には、１００００ｃｄ／ｍ２までの表示輝度で画像が表示される。以後、表示輝度の上限輝度が非常に高い画像データ、例えば、表示輝度の上限輝度が数千ｃｄ／ｍ２以上である画像データを、「ＨＤＲ（Ｈｉｇｈ  Ｄｙｎａｍｉｃ  Ｒａｎｇｅ）画像データ」と記載する。
【０００３】
画像表示装置では、非常に高い表示輝度を長時間表示するために、発熱による温度上昇、高い消費電力、等に対する対策が必要となる。これらの対策は、画像表示装置のコストの増加をまねく。そのため、通常の表示輝度（第１表示輝度）よりも高い表示輝度（第２表示輝度）での表示の時間が所定の制限時間以下の時間に制限された画像表示装置が提案されている。例えば、表示輝度を高める指示がユーザに行われた場合に第２表示輝度での表示を３０秒間のみ行う画像表示装置が提案されている。これにより、高い表示輝度での表示の時間が制限されるが、コストの増加を抑えつつ、高い表示輝度での表示が可能となる。
【０００４】
また、一般的なＨＤＲ画像データ（ＨＤＲ動画データ）では、一部のシーンに限って非常に高い表示輝度が想定されている。例えば、臨場感を高めたいシーン、晴天下の屋外のシーン、太陽、照明、等のきらめき感を表現したいシーン、等に限って、非常に高い表示輝度が想定されている。つまり、一般的なＨＤＲ動画データでは、非常に高い表示輝度での表示を常に行うことは想定されていない。このため、高い表示輝度での表示の時間を制限する上記技術を用いて一般的なＨＤＲ動画データを表示する場合において、想定された表示輝度での表示が全てのシーンで行える可能性が高い。したがって、高い表示輝度での表示の時間を制限する上記技術の一般化が予想される。
【０００５】
画像表示装置に関する従来技術として、特許文献１，２に開示の技術が提案されている。特許文献１に開示の技術では、画像コンテンツに関するコンテンツ情報に応じて、バックライトモジュールの発光輝度が制御される。特許文献２に開示の技術では、動画データの各フレームの平均輝度値が算出され、平均輝度値の時間的な変化傾向に応じてバックライトモジュールの発光量が制御される。
【０００６】
しかしながら、画像データに含まれたメタデータ、画像データのデータフォーマット、等に従って表示輝度を制御する技術、特許文献１，２に開示の技術、等の従来技術では、表示時間の制限は無いものとして表示が行われる。このため、このような従来技術では、不必要な表示品質（画像表示装置の表示の品質）の低下が生じる虞がある。例えば、想定された表示輝度（想定輝度）での表示が全てのシーンで行えるにも拘らず、第２表示輝度が想定されたシーンが第１表示輝度で表示されることがある。また、想定輝度での表示が行えないにも拘らず想定輝度に応じた処理が行われることにより、表示において黒つぶれ、白とび、コントラストの低下、コントラストの時間変化、等が生じることもある。
【先行技術文献】
【特許文献】
【０００７】
【特許文献１】特開２００８−２４４８１８号公報
【特許文献２】特開２０１１−８１０８４号公報
【発明の概要】
【発明が解決しようとする課題】
【０００８】
本発明は、表示時間の制限がある画像表示装置での表示品質を向上することができる技術を提供することを目的とする。
【課題を解決するための手段】
【０００９】
本発明の第１の態様は、
表示輝度の範囲である第１輝度範囲内の表示輝度よりも高い表示輝度の範囲である第２輝度範囲内の表示輝度での表示の時間が閾値以下に制限された制限状態を有する画像表示装置であって、
入力動画データで想定された表示輝度である想定輝度に関する想定輝度情報を取得する取得手段と、
前記入力動画データ、前記想定輝度情報、及び、前記制限状態に基づいて、前記第２輝度範囲内の表示輝度での表示の時間が前記閾値以下となるように、表示を制御する制御手段と、
を有することを特徴とする画像表示装置である。
【００１０】
本発明の第２の態様は、
上述した画像表示装置と、情報処理装置とを有する画像表示システムであって、
前記情報処理装置は、
前記画像表示装置に入力される入力動画データに基づいて、前記入力動画データで想定された表示輝度である想定輝度に関する想定輝度情報を取得する輝度取得手段と、
前記想定輝度情報を前記画像表示装置に出力する出力手段と、
を有する
ことを特徴とする画像表示システムである。
【００１１】
本発明の第３の態様は、
表示輝度の範囲である第１輝度範囲内の表示輝度よりも高い表示輝度の範囲である第２輝度範囲内の表示輝度での表示の時間が閾値以下に制限された制限状態を有する画像表示装置と、情報処理装置とを有する画像表示システムであって、
前記画像表示装置は、
表示輝度に関する表示輝度情報を前記取得する取得手段と、
入力動画データと前記表示輝度情報に基づいて表示を制御する制御手段と、
を有し、
前記情報処理装置は、
前記入力動画データに基づいて、前記入力動画データで想定された表示輝度である想定輝度に関する想定輝度情報を取得する輝度取得手段と、
前記制限状態に関する制限情報を取得する制限取得手段と、
前記制限情報に基づいて前記想定輝度情報を補正することにより、前記第２輝度範囲内の表示輝度での表示の時間を前記閾値以下にする前記表示輝度情報を生成する補正手段と、
前記補正手段によって生成された前記表示輝度情報を前記画像表示装置に出力する出力手段と、
を有する
ことを特徴とする画像表示システムである。
【００１２】
本発明の第４の態様は、
表示輝度の範囲である第１輝度範囲内の表示輝度よりも高い表示輝度の範囲である第２輝度範囲内の表示輝度での表示の時間が閾値以下に制限された制限状態を有する画像表示装置と接続可能な情報処理装置であって、
前記画像表示装置に入力される入力動画データに基づいて、前記入力動画データで想定された表示輝度である想定輝度に関する想定輝度情報を取得する輝度取得手段と、
前記制限状態に関する制限情報を取得する制限取得手段と、
前記制限情報に基づいて前記想定輝度情報を補正することにより、前記第２輝度範囲内の表示輝度での表示の時間を前記閾値以下にする前記表示輝度情報を生成する補正手段と、
前記補正手段によって生成された前記表示輝度情報を前記画像表示装置に出力する出力手段と、
を有することを特徴とする情報処理装置である。
【００１３】
本発明の第５の態様は、
表示輝度の範囲である第１輝度範囲内の表示輝度よりも高い表示輝度の範囲である第２輝度範囲内の表示輝度での表示の時間が閾値以下に制限された制限状態を有する画像表示装置の制御方法であって、
入力動画データで想定された表示輝度である想定輝度に関する想定輝度情報を取得するステップと、
前記入力動画データ、前記想定輝度情報、及び、前記制限状態に基づいて、前記第２輝度範囲内の表示輝度での表示の時間が前記閾値以下となるように、表示を制御するステップと、
を有することを特徴とする画像表示装置の制御方法である。
【００１４】
本発明の第６の態様は、
表示輝度の範囲である第１輝度範囲内の表示輝度よりも高い表示輝度の範囲である第２輝度範囲内の表示輝度での表示の時間が閾値以下に制限された制限状態を有する画像表示装置と接続可能な情報処理装置における情報処理方法であって、
前記画像表示装置に入力される入力動画データに基づいて、前記入力動画データで想定された表示輝度である想定輝度に関する想定輝度情報を取得するステップと、
前記制限状態に関する制限情報を取得するステップと、
前記制限情報に基づいて前記想定輝度情報を補正することにより、前記第２輝度範囲内の表示輝度での表示の時間を前記閾値以下にする前記表示輝度情報を生成するステップと、
生成された前記表示輝度情報を前記画像表示装置に出力するステップと、
を有することを特徴とする情報処理方法である。
【００１５】
本発明の第７の態様は、上述した画像表示装置の制御方法の各ステップをコンピュータに実行させることを特徴とするプログラムである。
本発明の第８の態様は、上述した情報処理方法の各ステップをコンピュータに実行させることを特徴とするプログラムである。
【発明の効果】
【００１６】
本発明によれば、表示時間の制限がある画像表示装置での表示品質を向上することができる。
【図面の簡単な説明】
【００１７】
【図１】実施例１に係る画像表示装置の機能構成の一例を示すブロック図
【図２】実施例１に係る動画データの一例を示す図
【図３】実施例１に係る動画データの一例を示す図
【図４】実施例１に係る動画データの一例を示す図
【図５】実施例１に係る制限情報の一例を示す図
【図６】実施例１に係る動画データの一例を示す図
【図７】実施例１に係る想定輝度情報であるＩＤの一例を示す図
【図８】実施例１に係る制限情報であるＩＤの一例を示す図
【図９】実施例１に係る画像表示装置の処理フローの一例を示すフロー図
【図１０】実施例２に係る画像表示システムの機能構成の一例を示すブロック図
【図１１】実施例２に係る画像表示システムの処理フローの一例を示すフロー図
【図１２】実施例２に係る動画データの一例を示す図
【図１３】実施例２に係る動画データの一例を示す図
【図１４】実施例３に係る画像表示システムの機能構成の一例を示すブロック図
【図１５】実施例３に係る画像表示システムの処理フローの一例を示すフロー図
【発明を実施するための形態】
【００１８】
＜実施例１＞
以下、本発明の実施例１について説明する。本実施例に係る画像表示装置は、第１輝度範囲内の表示輝度（画面の輝度）での表示の時間が制限されておらず、且つ、第２輝度範囲内の表示輝度での表示の時間が閾値以下に制限された制限状態を有する。第１輝度範囲と第２輝度範囲は、表示輝度の範囲であり、第２輝度範囲は、第１輝度範囲内の表示輝度よりも高い表示輝度の範囲である。
【００１９】
なお、第１輝度範囲内の表示輝度での表示の時間が制限されていてもよい。例えば、第１輝度範囲内の表示輝度を維持できる時間の最大時間として、非常に長い時間が設定されてもよい。また、以下では、画像表示装置が透過型の液晶表示装置である場合の例を説明するが、画像表示装置は液晶表示装置に限られない。画像表示装置は、発光部と、発光部からの光を変調することにより画像を表示する表示パネルと、を有する他の装置であってもよい。例えば、画像表示装置は、反射型の液晶表示装置、表示素子としてＭＥＭＳ（Ｍｉｃｒｏ  Ｅｌｅｃｔｒｏ  Ｍｅｃｈａｎｉｃａｌ  Ｓｙｓｔｅｍ）シャッターを有するＭＥＭＳシャッター方式表示装置、プロジェクター、等であってもよい。画像表示装置は、有機ＥＬ表示装置、プラズマ表示装置、等の自発光型表示装置であってもよい。
【００２０】
図１は、本実施例に係る画像表示装置１００の機能構成の一例を示すブロック図である。図１に示すように、画像表示装置１００は、画像取得部１０１、想定輝度情報取得部１０２、制限状態管理部１０３、表示制御部１０９、液晶パネル１０６、及び、バックライトモジュール１０８を有する。なお、想定輝度情報取得部１０２、制限状態管理部１０３、及び、表示制御部１０９のそれぞれは、個別のハードウェアであってもよいし、そうでなくてもよい。２つ以上の機能部の機能が、共通のハードウェアによって実現されてもよい。
【００２１】
バックライトモジュール１０８は、液晶パネル１０６の背面に光を照射する発光部である。バックライトモジュール１０８は、１つ以上の光源を有する。光源は、１つ以上の発光素子を有する。発光素子としては、発光ダイオード、有機ＥＬ素子、プラズマ素子、冷陰極管、等を使用することができる。液晶パネル１０６は、バックライトモジュール１０８からの光を透過することにより、画像（動画や静止画）を表示する表示パネルである。具体的には、液晶パネル１０６は複数の液晶素子を有し、バックライトモジュール１０８からの光が各液晶素子を透過することにより、画像が表示される。
【００２２】
画像取得部１０１は、画像データを取得する。画像取得部１０１によって取得された画像データを「入力画像データ」と記載する。そして、画像取得部１０１は、入力画像データを、想定輝度情報取得部１０２と表示制御部１０９に出力する。本実施例では、画像取得部１０１は、画像表示装置１００の外部から入力画像データを取得する。入力画像データは、ケーブルを介して取得されてもよいし、無線で取得されてもよい。画像取得部１０１としては、入力端子、通信インタフェース、等を使用することができる。なお、入力画像データの取得方法は特に限定されない。例えば、画像データを記憶する記憶部が画像表示装置に設けられていてもよい。そして、記憶部が記憶している画像データが、入力画像データとして、記憶部から読み出されてもよい。なお、以下では、入力画像データが動画データ（入力動画データ）である場合の例を説明するが、入力画像データは静止画データであってもよい。
【００２３】
想定輝度情報取得部１０２は、入力動画データで想定された表示輝度である想定輝度に関する情報（想定輝度情報）を取得する。そして、想定輝度情報取得部１０２は、想定輝度情報を表示制御部１０９に出力する。本実施例では、入力動画データに補助データが含まれており、補助データに想定輝度情報が含まれている。そして、想定輝度情報取得部１０２は、入力動画データから補助データを抽出することにより、想定輝度情報を取得する。補助データは、例えば、各種画像インタフェース規格のメタデータ領域、補助信号領域、等に格納されて伝送される。なお、想定輝度情報の取得方法は特に限定されない。例えば、想定輝度情報のデータとして、入力動画データから独立したデータが、画像表示装置１００に入力されてもよい。そして、画像表示装置１００に入力された上記データが、想定輝度情報として取得されてもよい。各種画像インタフェース規格でサポートされた通信によって、想定輝度情報（補助データ）が取得されてもよい。
【００２４】
制限状態管理部１０３は、画像表示装置１００の制限状態に関する情報（制限情報）を管理する。制限状態管理部１０３は、制限情報を表示制御部１０９に出力する。本実施例では、所定の制限情報が、制限状態管理部１０３に予め記録されている。制限情報は、例えば、画像表示装置１００の表示輝度の上限輝度、表示輝度と表示可能時間の対応関係、等を示す。表示可能時間は、対応する表示輝度での表示を連続して行うことができる時間である。制限情報から、第１輝度範囲内の表示輝度での表示の時間が制限されていないこと、第２輝度範囲内の表示輝度での表示の時間が閾値以下に制限されていること、等を判断することができる。
【００２５】
表示制御部１０９は、入力動画データ、想定輝度情報、及び、制限情報に基づいて、第２輝度範囲内の表示輝度での表示の時間が閾値以下となるように、画像表示装置１００の表示を制御する。本実施例では、表示制御部１０９は、制限情報に基づいて、第２輝度範囲内の表示輝度での表示の時間が閾値以下となるように、想定輝度情報を補正する。そして、表示制御部１０９は、入力動画データと、補正後の想定輝度情報（補正輝度情報；表示輝度情報）とに基づいて、画像表示装置１００の表示を制御する。本実施例では、表示制御部１０９は、バックライトモジュール１０８の発光輝度と、液晶パネル１０６の変調率（透過率）とを制御することにより、画像表示装置１００の表示を制御する。本実施例では、表示制御部１０９は、パラメータ決定部１０４、画像処理部１０５、及び、バックライト制御部１０７を有する。なお、パラメータ決定部１０４、画像処理部１０５、及び、バックライト制御部１０７のそれぞれは、個別のハードウェアであってもよいし、そうでなくてもよい。２つ以上の機能部の機能が、共通のハードウェアによって実現されてもよい。
【００２６】
パラメータ決定部１０４は、制限情報に基づいて想定輝度情報を補正することにより、表示輝度情報を取得する。詳細は後述するが、本実施例では、第２輝度範囲内の表示輝度での表示の時間が閾値以下となるように、画像表示装置１００の表示輝度が制御される。
そのため、表示輝度情報は「入力動画データの再生時における表示輝度を指定する情報」とも言える。そして、想定輝度情報を補正する処理は、「入力動画データの再生時における表示輝度を決定する処理」とも言える。パラメータ決定部１０４は、表示輝度情報に基づいて画像補正パラメータとバックライト制御パラメータを決定し、画像補正パラメータを画像処理部１０５に出力し、バックライト制御パラメータをバックライト制御部１０７に出力する。本実施例では、表示輝度情報によって示された表示輝度での表示が実現されるように、画像補正パラメータとバックライト制御パラメータが決定される。
【００２７】
画像補正パラメータは、入力動画データを補正するパラメータである。例えば、画像補正パラメータは、補正前の階調値と補正後の階調値との対応関係を示すパラメータである。具体的には、画像補正パラメータは、入力動画データの階調特性を補正するガンマ係数である。バックライト制御パラメータは、バックライトモジュール１０８の発光輝度（発光量；発光強度）を示すパラメータである。
【００２８】
なお、表示の制御方法は、上記方法に限られない。例えば、想定輝度情報の補正は省略されてもよい。具体的には、入力動画データ、想定輝度情報、及び、制限情報に基づいて、補正輝度情報（表示輝度情報）が生成されずに、画像補正パラメータとバックライト制御パラメータが生成されてもよい。
【００２９】
画像処理部１０５は、画像補正パラメータを用いた画像処理を入力動画データに施すことにより、表示動画データを生成する。そして、画像処理部１０５は、表示動画データを液晶パネル１０６に出力する。液晶パネル１０６に表示画像データが入力されることにより、液晶パネル１０６の各液晶素子の透過率が、表示動画データに応じて個別に制御される。そのため、「液晶パネル１０６に表示動画データを出力する処理」は、「液晶パネル１０６の透過率を制御する処理」とも言える。
【００３０】
バックライト制御部１０７は、バックライト制御パラメータに基づいて、バックライトモジュール１０８（バックライトモジュール１０８の発光素子）の駆動信号を示す発光制御値を決定する。そして、バックライト制御部１０７は、発光制御値をバックライトモジュール１０８に出力する。バックライトモジュール１０８に発光制御値が入力されることにより、バックライトモジュール１０８の発光素子に、発光制御値に応じた駆動信号が供給される。その結果、発光素子の発光輝度（発光量；発光強度）が発光制御値に応じて制御される。そのため、「バックライトモジュール１０８に発光制御値を出力する処理」は、「バックライトモジュール１０８の発光輝度を制御する処理」とも言える。駆動信号としてパルス信号が使用される場合には、駆動信号のパルス幅と、駆動信号のパルス振幅との少なくとも一方を変えることにより、バックライトモジュール１０８の発光輝度を変えることができる。そのため、パルス幅を示す値、パルス振幅を示す値、パルス幅とパルス振幅の両方を示す値、等を、発光制御値として使用することができる。
【００３１】
図２〜４を用いて、本実施例に係る動画データ（動画コンテンツ）の一例について説明する。図２〜４に示すように、本実施例に係る動画データは、メインストリーム、サブストリーム、及び、メタデータを含む。図２〜４のメインストリームは、同期信号、各フレームの画像データ、等を含むストリームであり、いわゆる「動画データ」である。サブストリームとメタデータは、上述した補助データである。詳細は後述するが、本実施例では、想定輝度情報において、想定輝度としてバックライト輝度（バックライトモジュール１０８の発光輝度）が使用される。バックライト輝度は、表示輝度の上限輝度と略等しい。具体的には、バックライト輝度は、液晶パネル１０６の透過率を上限値に制御した場合における表示輝度と略等しい。そのため、想定輝度としてバックライト輝度を使用しても、何ら問題は無い。むしろ、バックライトモジュール１０８の発光時間が制限されている場合には、想定輝度としてバックライト輝度が使用されることが好ましい。
【００３２】
図２〜４のサブストリームは、動画データの各シーンの想定輝度を示すストリームである。即ち、サブストリームは、動画データの各シーンの想定輝度を示す想定輝度情報である。以後、このような想定輝度情報を、「シーン想定輝度情報」と記載する。シーン想定輝度情報は、例えば、動画データの製作者、動画データの編集者、等により、動画データの再生時における表示輝度を指定するために付加される。図２〜４では、シーン想定輝度情報として、階調特性（ガンマ特性）を示す階調情報と、バックライト輝度を示すバックライト輝度情報とが使用されている。なお、シーン特定輝度情報は、図２〜４に示す情報に限られない。例えば、階調情報として、画像処理部１０５による補正前の階調値と、補正後の階調値との対応関係を示す情報（関数、ルックアップテーブル、等）が使用されてもよい。
【００３３】
図２〜４のメタデータは、動画データ（動画コンテンツ）の全体に関する情報を含む。例えば、メタデータは、動画データ全体の時間、動画データのジャンルを示すジャンル情報、等を含む。本実施例では、図２〜４に示すように、メタデータに、輝度範囲（表示輝度の範囲）と、最大継続時間との対応関係を示す想定輝度情報が含まれている。以後、このような想定輝度情報を、「コンテンツ想定輝度情報」と記載する。最大継続時間は、対応する輝度範囲内の想定輝度が継続する時間の最大時間である。図２〜４の例では、輝度範囲として、バックライト輝度の範囲が使用されており、最大継続時間として、対応する輝度範囲内のバックライト輝度が継続する時間の最大時間が使用されている。
【００３４】
図２のコンテンツ想定輝度情報は、バックライト輝度が０ｃｄ／ｍ２以上１９９９ｃｄ／ｍ２以下であるシーンが最長で６００秒間継続することを示す。そして、バックライト輝度が２０００ｃｄ／ｍ２以上３９９９ｃｄ／ｍ２以下であるシーンが最長で２０秒間継続し、且つ、バックライト輝度が４０００ｃｄ／ｍ２以上〜７９９９ｃｄ／ｍ２以下であるシーンが存在しないことを示している。図３のコンテンツ想定輝度情報は、バックライト輝度が０ｃｄ／ｍ２以上１９９９ｃｄ／ｍ２以下であるシーンが最長で６００秒間継続することを示す。そして、バックライト輝度が２０００ｃｄ／ｍ２以上３９９９ｃｄ／ｍ２以下であるシーンが最長で４０秒間継続し、且つ、バックライト輝度が４０００ｃｄ／ｍ２以上〜７９９９ｃｄ／ｍ２以下であるシーンが存在しないことを示している。図４のコンテンツ想定輝度情報は、バックライト輝度が０ｃｄ／ｍ２以上１９９９ｃｄ／ｍ２以下であるシーンが最長で６００秒間継続することを示す。そして、バックライト輝度が２０００ｃｄ／ｍ２以上３９９９ｃｄ／ｍ２以下であるシーンが最長で２０秒間継続し、且つ、バックライト輝度が４０００ｃｄ／ｍ２以上〜７９９９ｃｄ／ｍ２以下であるシーンが最長で１０秒間継続することを示している。
【００３５】
なお、コンテンツ想定輝度情報は、動画データの編集時などにおいて編集ソフトにより自動的に付加される情報であってもよいし、編集者が手動で付加する情報であってもよい。また、ビデオカメラ等の撮影装置が、撮影データ、撮影設定、等に基づいて、再生時の表示輝度（想定輝度）を自動で指定してもよい。その場合には、撮影装置が、撮影開始から撮影終了までに使用したり生成したりした種々の情報（撮影データ、撮影設定、再生時の表示輝度、等）に基づいて、コンテンツ想定輝度情報を生成して付加してもよい。
【００３６】
次に、制限情報を考慮せずに、想定輝度情報と入力動画データのみに基づいて表示を行う例を説明する。
【００３７】
まず、想定輝度情報取得部１０２により、入力動画データから、シーン想定輝度情報が抽出される。具体的には、想定輝度情報取得部１０２は、入力動画データの各シーンについて、入力動画データのサブストリームから、階調情報とバックライト輝度情報が抽出される。
【００３８】
次に、表示制御部１０９により、抽出されたシーン想定輝度情報に基づいて画像表示装置１００の表示が制御される。具体的には、パラメータ決定部１０４は、抽出された階調情報に応じた画像補正パラメータを画像処理部１０５に出力し、抽出されたバックライト輝度情報に応じたバックライト制御パラメータをバックライト制御部１０７に出力する。画像処理部１０５は、画像補正パラメータを用いた画像処理により入力動画データから表示動画データを生成し、表示動画データを液晶パネル１０６に出力する。その結果、抽出された階調情報と入力動画データに応じた透過率に、液晶パネル１０６の透過率が制御される。そして、バックライト制御部１０７は、バックライト制御パラメータに基づいて発光制御値を決定し、発光制御値をバックライトモジュール１０８に出力する。その結果、抽出されたバックライト輝度情報に応じた発光輝度に、バックライトモジュール１０８の発光輝度（バックライト輝度）が制御される。
【００３９】
上記方法により、想定輝度情報に基づく表示が可能となる。しかしながら、上記方法では、入力動画データの想定輝度が画像表示装置１００の表示輝度の上限輝度を超えている場合に、表示品質の低下（画質劣化）が生じる。一例として、バックライト輝度２４００ｃｄ／ｍ２を４０秒間維持することが入力動画データで想定されており、且つ、画像表示装置１００がバックライト輝度２４００ｃｄ／ｍ２を最長で２０秒間しか維持できない場合を考える。この場合には、最初の２０秒間では、バックライト輝度２４００ｃｄ／ｍ２での表示が行われる。しかしながら、その後の２０秒間では、バックライト輝度は、２４００ｃｄ／ｍ２よりも低い輝度に低減される。さらに、バックライト輝度の低下は考慮されずに、抽出された階調情報に応じた画像補正パラメータが使用され続ける。そのため、表示において黒つぶれ、コントラストの低下、コントラストの時間変化、表示輝度の時間変化、等の画質劣化が生じる。
【００４０】
そこで、本実施例では、制限情報をさらに使用する。即ち、画像表示装置１００の制限状態を考慮する。以下に、図９を用いて、本実施例に係る処理フローの一例を説明する。図９は、本実施例に係る画像表示装置１００の処理フローの一例を示すフローチャートである。上述したように、本実施例では、制限情報、想定輝度情報、及び、入力動画データに基づいて表示が制御される。
【００４１】
まず、想定輝度情報取得部１０２は、画像取得部１０１によって取得された入力動画データから、想定輝度情報（シーン想定輝度情報とコンテンツ想定輝度情報）を抽出する（Ｓ９０１）。そして、想定輝度情報取得部１０２は、抽出した想定輝度情報をパラメータ決定部１０４に出力する。また、制限状態管理部１０３は、制限情報をパラメータ決定部１０４に出力する（Ｓ９０２；制限情報の伝送）。なお、Ｓ９０１の処理とＳ９０２の処理の順番は特に限定されない。Ｓ９０１の処理の後にＳ９０２の処理が行われてもよいし、Ｓ９０２の処理の後にＳ９０１の処理が行われてもよいし、Ｓ９０１の処理とＳ９０２の処理とが並列に行われてもよい。
【００４２】
図５は、本実施例に係る制限情報の一例を示す図である。制限情報のフォーマットは特に限定されないが、本実施例では、図５に示すように、輝度範囲（表示輝度の範囲）と、維持可能時間との対応関係を示す制限情報が使用される。維持可能時間は、対応する輝度範囲内の表示輝度を維持できる時間の最大時間である。図５の例では、輝度範囲として、バックライト輝度の範囲が使用されており、維持可能時間として、対応する輝度範囲内のバックライト輝度を維持できる時間の最大時間が使用されている。
【００４３】
図５の制限情報は、「バックライトモジュール１０８が、０ｃｄ／ｍ２以上１９９９ｃｄ／ｍ２以下（第１輝度範囲）のバックライト輝度の光を無制限に出力できる」ことを示す。図５の制限情報は、「バックライトモジュール１０８が、３０秒以下の時間であれば
、２０００ｃｄ／ｍ２以上３９９９ｃｄ／ｍ２以下（第２輝度範囲）のバックライト輝度の光を連続して出力できる」ことも示す。そして、図５の制限情報は、「バックライトモジュール１０８が、４０００ｃｄ／ｍ２以上７９９９ｃｄ／ｍ２以下（第３輝度範囲）のバックライト輝度の光を出力できない」ことも示す。
【００４４】
なお、第１輝度範囲〜第３輝度範囲は上記範囲より広くても狭くてもよい。また、時間の閾値は３０秒より長くても短くてもよい。第２輝度範囲（表示輝度を維持できる時間が閾値以下に制限された輝度範囲）として、複数の輝度範囲が使用されてもよい。その場合には、複数の輝度範囲の間で閾値（時間の閾値）が同じであってもよいし、異なっていてもよい。第３輝度範囲（表示輝度を実現できない輝度範囲）は定められていなくてもよい。
【００４５】
次に、パラメータ決定部１０４は、Ｓ９０１の処理により入力されたコンテンツ想定輝度情報を、Ｓ９０２の処理により入力された制限情報と比較する。具体的には、複数の輝度範囲のそれぞれについて、最大継続時間が維持可能時間と比較される。そして、パラメータ決定部１０４は、上記比較により、想定輝度での表示を実現するのに最低限必要な表示性能（想定性能）が、画像表示装置１００の制限状態に対応する表示性能（制限性能）以下であるか否かを判断する（Ｓ９０３）。想定性能が画像表示装置１００の制限性能以下であると判断された場合には、Ｓ９０４へ処理が進められ、想定性能が画像表示装置１００の制限性能を上回っていると判断された場合には、Ｓ９０５へ処理が進められる。
【００４６】
ここで、入力動画データが図２の動画データである場合の例を説明する。この場合には、第１輝度範囲について、最大継続時間が「６００秒」であり、且つ、維持可能時間が「無制限」であるため、想定性能は画像表示装置１００の制限性能以下である。第２輝度範囲についても、最大継続時間が「２０秒」であり、且つ、維持可能時間が「３０秒」であるため、想定性能は画像表示装置１００の制限性能以下である。そして、第３輝度範囲についても、最大継続時間が「０秒」であり、且つ、維持可能時間が「出力不可（０秒）」であるため、想定性能は画像表示装置１００の制限性能以下である。そのため、入力動画データが図２の動画データである場合には、想定性能が画像表示装置１００の制限性能以下であると判断され、Ｓ９０３からＳ９０４へ処理が進められる。
【００４７】
入力動画データが図３の動画データである場合の例を説明する。この場合には、第１輝度範囲と第３輝度範囲については、想定性能は画像表示装置１００の制限性能以下である。しかしながら、第２輝度範囲については、最大継続時間が「４０秒」であり、且つ、維持可能時間が「３０秒」であるため、想定性能は画像表示装置１００の制限性能を上回っている。そのため、入力動画データが図３の動画データである場合には、想定性能が画像表示装置１００の制限性能を上回っていると判断され、Ｓ９０３からＳ９０５へ処理が進められる。
【００４８】
入力動画データが図４の動画データである場合の例を説明する。この場合には、第１輝度範囲と第２輝度範囲については、想定性能は画像表示装置１００の制限性能以下である。しかしながら、第３輝度範囲については、最大継続時間が「１０秒」であり、且つ、維持可能時間が「出力不可」であるため、想定性能は画像表示装置１００の制限性能を上回っている。そのため、入力動画データが図４の動画データである場合には、想定性能が画像表示装置１００の制限性能を上回っていると判断され、Ｓ９０３からＳ９０５へ処理が進められる。
【００４９】
なお、上述したコンテンツ想定輝度情報が入力動画データに含まれていない場合には、画像表示装置１００においてコンテンツ想定輝度情報と同等の情報が生成されてもよい。例えば、想定輝度情報取得部１０２が、入力動画データの全シーンのシーン想定輝度情報
（バックライト輝度情報）を解析することにより、コンテンツ想定輝度情報と同等の情報を生成してもよい。具体的には、想定輝度情報取得部１０２が、複数のシーンのそれぞれについて、第１輝度範囲の継続時間（第１輝度範囲の想定輝度が継続する時間）、第２輝度範囲の継続時間、及び、第３輝度範囲の継続時間を、シーン想定輝度情報を用いて判断してもよい。そして、想定輝度情報取得部１０２が、複数のシーンにそれぞれ対応する複数の継続時間の最大時間を最大継続時間として判断する処理を、第１輝度範囲、第２輝度範囲、及び、第３輝度範囲のそれぞれについて行ってもよい。このような処理により、コンテンツ想定輝度情報と同等の情報を得ることができる。
【００５０】
Ｓ９０４の処理は、画像表示装置１００が想定輝度での表示を実現できる場合に行われる。そのため、Ｓ９０４にて、パラメータ決定部１０４は、Ｓ９０１の処理により入力された想定輝度情報を、表示輝度情報として決定する。そして、Ｓ９０４からＳ９０６へ処理が進められる。
【００５１】
Ｓ９０５の処理は、画像表示装置１００が想定輝度での表示を実現できない場合に行われる。そのため、Ｓ９０５にて、パラメータ決定部１０４は、想定性能が画像表示装置１００の制限性能以下となるように、Ｓ９０１の処理により入力された想定輝度情報を補正する。本実施例では、パラメータ決定部１０４は、入力動画データの全シーンについて、バックライト輝度情報によって示されたバックライト輝度を低減する。その結果、後述の処理を経て、入力動画データの全ての想定輝度を低減した表示輝度に、画像表示装置１００の表示輝度が制御される。本実施例では、複数のバックライト輝度（バックライト輝度情報によって示されたバックライト輝度）が同じ低減率で低減される。具体的には、複数のバックライト輝度のそれぞれが１／２倍される。それにより、第２輝度範囲内の想定輝度（想定されたバックライト輝度）が対応付けられたシーンには第１輝度範囲内の想定輝度が対応付けられ、第３輝度範囲内の想定輝度が対応付けられたシーンには第２輝度範囲内の想定輝度が対応付けられることとなる。そして、Ｓ９０５からＳ９０６へ処理が進められる。なお、低減率は１／２より大きくても小さくてもよい。
【００５２】
ここで、入力動画データが図３の動画データである場合の例を説明する。この場合には、補正により、第２輝度範囲内の想定輝度が対応付けられ、且つ、最大継続時間が「４０秒」であるシーンには、第１輝度範囲内の想定輝度が対応付けられることとなる。その結果、第１輝度範囲の維持可能時間は「無制限」であるため、想定性能が画像表示装置１００の制限性能以下となる。入力動画データが図４の動画データである場合の例を説明する。この場合には、補正により、第３輝度範囲内の想定輝度が対応付けられ、且つ、最大継続時間が「１０秒」であるシーンには、第２輝度範囲内の想定輝度が対応付けられることとなる。その結果、第２輝度範囲の維持可能時間は「３０秒」であるため、想定性能が画像表示装置１００の制限性能以下となる。
【００５３】
Ｓ９０６にて、パラメータ決定部１０４は、Ｓ９０４またはＳ９０５の処理により決定した表示輝度情報に基づいて、画像補正パラメータとバックライト制御パラメータを決定する。そして、パラメータ決定部１０４は、決定した画像補正パラメータを画像処理部１０５に出力し、決定したバックライト制御パラメータをバックライト制御部１０７に出力する。本実施例では、パラメータ決定部１０４は、表示輝度情報に含まれている階調情報を、画像補正パラメータとして画像処理部１０５に出力する。そして、パラメータ決定部１０４は、表示輝度情報に含まれているバックライト輝度情報を、バックライト制御パラメータとしてバックライト制御部１０７に出力する。
【００５４】
次に、画像処理部１０５とバックライト制御部１０７により、Ｓ９０６で決定されたパラメータに基づく処理が行われる（Ｓ９０７）。具体的には、画像処理部１０５は、Ｓ９０６で決定された画像補正パラメータを用いた画像処理を入力動画データに施すことによ
り、表示動画データを生成する。画像処理部１０５は、生成した表示動画データを液晶パネル１０６に出力する。そして、バックライト制御部１０７は、Ｓ９０６で決定されたバックライト制御パラメータに基づいて、発光制御値を決定する。バックライト制御部１０７は、決定した発光制御値をバックライトモジュール１０８に出力する。
【００５５】
そして、液晶パネル１０６とバックライトモジュール１０８により、Ｓ９０７で得られた表示動画データと発光制御値に基づく動画が表示される（Ｓ９０８）。具体的には、液晶パネル１０６の透過率が、Ｓ９０７で生成された表示動画データに応じた透過率に制御される。そして、バックライトモジュール１０８の発光輝度が、Ｓ９０７で決定された発光制御値に応じた発光輝度に制御される。
【００５６】
上記方法によれば、想定性能が制限性能を上回る場合に、入力動画データの全ての想定輝度を同じ低減率で低減した表示輝度に、画像表示装置１００の表示輝度が制御される。具体的には、想定された全てのバックライト輝度が同じ低減率で低減され、低減後のバックライト輝度にバックライトモジュール１０８の発光輝度が制御される。それにより、表示品質を向上することができる。例えば、コントラストの時間変化、表示輝度の時間変化、等の表示品質低下を抑制することができる。
【００５７】
なお、上記方法では階調情報は補正されないが、補正後のバックライト輝度情報（補正後のバックライト輝度）に応じて階調情報が補正されてもよい。それにより、黒つぶれ等の他の表示品質低下をも抑制することができる。
【００５８】
以上述べたように、本実施例によれば、入力動画データと想定輝度情報だけでなく、画像表示装置の制限状態をさらに考慮して、画像表示装置の表示が制御される。それにより、表示時間の制限がある画像表示装置での表示品質を向上することができる。また、画像表示装置の制限性能を十分に活用した表示が可能となる。具体的には、第１輝度範囲だけでなく、第２輝度範囲をさらに使用した表示が可能なる。
【００５９】
なお、本実施例では、バックライト輝度を維持できる時間が制限されている例を説明したが、液晶パネルの透過率を維持できる時間が制限されていてもよい。その場合には、例えば、想定性能が画像表示装置の制限性能以下となるように、階調情報が補正されてもよい。
【００６０】
なお、本実施例では、入力動画データの全ての想定輝度を同じ低減率で低減した表示輝度に画像表示装置の表示輝度が制御される例を説明したが、これに限られない。例えば、複数の想定輝度の間で低減率が異なっていてもよい。具体的には、想定された複数のバックライト輝度の間で低減率（想定されたバックライト輝度の低減率）が異なっていてもよい。
【００６１】
なお、入力動画データの一部の想定輝度のみが低減されてもよい。例えば、第１輝度範囲内の想定輝度に画像表示装置の表示輝度が制御され、且つ、第２輝度範囲内の想定輝度を低減した表示輝度に画像表示装置の表示輝度が制御されてもよい。その場合において、第２輝度範囲内の全ての想定輝度が低減されてもよいし、第２輝度範囲内の一部の想定輝度が低減されてもよい。例えば、継続時間が閾値以下である第２輝度範囲内の想定輝度に画像表示装置の表示輝度が制御され、且つ、継続時間が閾値よりも長い第２輝度範囲内の想定輝度を低減した表示輝度に画像表示装置の表示輝度が制御されてもよい。表示輝度の制御方法の具体例は上述したとおりである。
【００６２】
また、継続時間が閾値よりも長い第２輝度範囲内の想定輝度について、閾値以下の時間だけ当該想定輝度に画像表示装置の表示輝度が制御された後に、当該想定輝度を低減した
表示輝度に画像表示装置の表示輝度が制御されてもよい。即ち、想定性能が画像表示装置の制限性能を上回るタイミングで、想定性能が制限性能以下となるように表示が制御されてもよい。ここで、第２輝度範囲の維持可能時間が「３０秒」である場合の処理例として、第２輝度範囲内の想定輝度が継続する時間が「４０秒」であるシーンについての処理例を説明する。この場合には、シーンの最初の３０秒の期間については、バックライト輝度情報が補正されずに使用される。そして、シーンの最後の１０秒の期間については、バックライト輝度情報が補正されて使用される。このような処理は、例えば、表示が行われている時間を計測する計測部などを使用することで実現できる。なお、シーン内での表示輝度の時間変化、シーン内でのコントラストの時間変化、等を抑制するために、シーンの最後の１０秒の期間については、階調情報がさらに補正されることが望ましい。
【００６３】
なお、本実施例では、画像表示装置の表示輝度を制御する例を説明したが、これに限られない。例えば、第２輝度範囲内の表示輝度での表示の時間が閾値以下となるように、入力動画データの再生速度が制御されてもよい。具体的には、入力動画データが図３の動画データである場合には、４／３倍よりも大きい倍率で再生速度を高めればよい。それにより、第２輝度範囲の最大継続時間「４０秒」を、第２輝度範囲の維持可能時間「３０秒」以下の時間に低減することができる。再生速度の変更方法は特に限定されない。例えば、動画データを記憶部に格納し、且つ、動画データを記憶部から読み出して処理する構成では、動画データを記憶部から読み出す速度（読み出し速度）を変更することで、再生速度を変更することができる。
【００６４】
なお、第２輝度範囲内の表示輝度での表示の時間が閾値以下となる複数の表示のうち、入力動画データで想定された表示に最も近い表示が得られるように、画像表示装置の表示が制御されることが好ましい。例えば、第２輝度範囲内の想定輝度が第１輝度範囲内の表示輝度の最大輝度に補正されてもよい。第２輝度範囲内の想定輝度の継続時間が、閾値よりも長い時間から、閾値と同じ時間まで短縮されるように、再生速度が高められてもよい。それにより、入力動画データの製作者などが意図した臨場感、きらめき感、等を画像表示装置のユーザに伝えることができる。
【００６５】
なお、想定輝度情報は、シーン想定輝度情報、コンテンツ想定輝度情報、等に限られない。例えば、想定輝度情報として、以下の１０種類の情報の少なくともいずれかを示す情報が使用されてもよい。
（Ａ１）入力動画データの各シーンの想定輝度
（Ａ２）入力動画データの各フレームの想定輝度
（Ａ３）入力動画データの各画素の想定輝度
（Ａ４）入力動画データの各画素群の想定輝度
（Ａ５）複数の想定輝度の最大輝度
（Ａ６）想定輝度の上限輝度
（Ａ７）第２輝度範囲内の想定輝度の継続時間である１つ以上の高輝度継続時間
（Ａ８）複数の高輝度継続時間の最大時間
（Ａ９）第２輝度範囲内の想定輝度の有無
（Ａ１０）入力動画データのデータフォーマット
【００６６】
（Ａ１）の情報は、シーン想定輝度情報と同様の情報である。１つのシーンに含まれる複数のフレームの間で想定輝度が異なる場合には、（Ａ２）の情報を使用することが好ましい。１つのフレームにおける複数の画像領域の間で想定輝度が異なる場合には、（Ａ３）の情報、（Ａ４）の情報、等を使用することが好ましい。具体的には、複数の画素の間で想定輝度が異なる場合には、（Ａ３）の情報を使用することが好ましい。複数の画素群の間で想定輝度が異なる場合には、（Ａ４）の情報を使用することが好ましい。画素群は、２つ以上の画素の集合である。（Ａ２）の情報を使用すれば、フレーム単位で想定輝度
の時間変化を把握でき、（Ａ３）の情報を使用すれば、画素単位で想定輝度の時間変化を把握でき、（Ａ４）の情報を使用すれば、画素群単位で想定輝度の時間変化を把握できる。そのため、（Ａ２）〜（Ａ４）の情報を使用すれば、（Ａ１）の情報を使用する場合よりも、想定性能が画像表示装置の制限性能を上回るか否かの判断を高精度に行うことができる。
【００６７】
なお、バックライトモジュールは、画面内の複数の領域にそれぞれ対応する複数の光源を有していてもよい。そして、各光源の発光輝度が個別に制御されてもよい。例えば、複数の画像領域の間で最終的な想定輝度（想定されたバックライト輝度）が異なる場合には、複数の画像領域にそれぞれについて、当該画像領域の想定輝度に応じて、当該画像領域に対応する光源の発光輝度が制御されてもよい。バックライトモジュール（各光源）の発光輝度は、入力画像データをさらに考慮して制御されてもよい。
【００６８】
（Ａ５）の情報がコンテンツ想定輝度情報として使用された場合の例を、図６に示す。図６のコンテンツ想定輝度情報（（Ａ５）の情報）は、複数の想定輝度（バックライト輝度）の最大輝度が１５００ｃｄ／ｍ２であることを示す。画像表示装置が図５の制限状態を有する場合には、複数のバックライト輝度の最大輝度１５００ｃｄ／ｍ２は、維持可能時間が「無制限」である第１輝度範囲に属す。そのため、最大輝度１５００ｃｄ／ｍ２から、想定性能が画像表示装置の制限性能以下であると判断できる。一方、想定された複数のバックライト輝度の最大輝度が３０００ｃｄ／ｍ２である場合には、想定性能が画像表示装置の制限性能を上回る可能性がある。そのため、その場合には、想定性能が画像表示装置の制限性能よりも高いと判断し、想定性能が画像表示装置の制限性能以下となるように、想定されたバックライト輝度を低減したり、再生速度を変更したりすればよい。
【００６９】
なお、図６ではシーン想定輝度情報が使用されているが、シーン想定輝度情報は使用されなくてもよい。即ち、（Ａ５）の情報のみが想定輝度情報として使用されてもよい。その場合には、例えば、複数の想定輝度の最大輝度（（Ａ５）の情報）が、全シーンの想定輝度として使用されてもよい。
【００７０】
（Ａ６）の情報が使用された場合には、例えば、（Ａ５）の情報を用いた場合と同様の処理が行われる。（Ａ８）の情報は、図２〜４に示すコンテンツ想定輝度情報と同様の情報である。（Ａ７）の情報が使用された場合には、例えば、（Ａ７）の情報から（Ａ８）の情報を得られた後、（Ａ８）の情報を用いた場合と同様の処理が行われる。（Ａ９）の情報が使用された場合には、例えば、第２輝度範囲内の想定輝度の有無に応じて、想定性能が画像表示装置の制限性能以下であるか否かの判断結果が得られる。具体的には、第２輝度範囲内の想定輝度がある場合に、想定性能が画像表示装置の制限性能よりも高いと判断され、第２輝度範囲内の想定輝度が無い場合に、想定性能が画像表示装置の制限性能以下であると判断される。想定輝度の上限輝度などが動画データのデータフォーマットによって決まることがある。そのため、（Ａ１０）の情報を用いて、想定性能が画像表示装置の制限性能以下であるか否かを判断することができる。
【００７１】
なお、画像表示装置の制限状態は予め定められた固定の状態であってもよいし、そうでなくてもよい。例えば、制限状態は、ユーザ操作に応じて設定された状態であってもよいし、画像表示装置の動作モードに応じて設定された状態であってもよい。また、制限状態は、以下の７種類の情報の少なくともいずれかに依存してもよい。
（Ｂ１）画像表示装置の温度
（Ｂ２）画像表示装置のバッテリー残量
（Ｂ３）画像表示装置による表示の総時間（総表示時間）
（Ｂ４）第２輝度範囲内の表示輝度での表示（高輝度表示）を画像表示装置が行った回数（高輝度表示回数）
（Ｂ５）高輝度表示を画像表示装置が終了してからの経過時間（インターバル時間）
（Ｂ６）画像表示装置の画面における高輝度表示が行われる領域のサイズ（高輝度表示サイズ）
（Ｂ７）入力動画データの階調値の特徴量
【００７２】
この場合には、制限状態管理部が、上記７種類の情報の少なくともいずれかに基づいて制限状態を判断してもよい。例えば、７種類の情報の少なくともいずれかと、制限状態との対応関係を示す所定の情報（関数、ルックアップテーブル、等）を用いて、制限状態が判断されてもよい。具体的には、画像表示装置の温度が高い場合に、温度の上昇を防ぐために、閾値を低減したり、輝度範囲の最大輝度と最小輝度を低減したりしてもよい。画像表示装置の温度が低い場合に、多少の温度上昇を許容し、閾値を高めたり、輝度範囲の最大輝度と最小輝度を高めたりしてもよい。バッテリー残量が少ない場合に、消費電力を低減するために、閾値を低減したり、輝度範囲の最大輝度と最小輝度を低減したりしてもよい。総表示時間が長い場合、高輝度表示回数が多い場合、高輝度表示サイズが大きい場合、等において、画像表示装置の経年劣化、画像表示装置の温度の上昇、等を防ぐために、閾値が低減されたり、輝度範囲の最大輝度と最小輝度が低減されたりしてもよい。インターバル時間が短い場合に、画像表示装置の温度の上昇を防ぐために、閾値が低減されたり、輝度範囲の最大輝度と最小輝度が低減されたりしてもよい。高輝度表示サイズが大きい場合に、画像表示装置の温度の上昇を防いだり、消費電力を低減したりするために、閾値が低減されたり、輝度範囲の最大輝度と最小輝度が低減されたりしてもよい。
【００７３】
温度、バッテリー残量、等は、例えば、種々のセンサを用いて検出される。総表示時間、高輝度表示回数、インターバル時間、等は、例えば、種々のカウンタを用いて検出される。高輝度表示サイズは、例えば、バックライトモジュールの各光源の発光輝度を示すバックライト制御パラメータを用いて判断される。高輝度表示サイズの判断には、入力動画データ、画像補正パラメータ、等がさらに使用されてもよい。
【００７４】
入力動画データの画素値、特徴量、等は特に限定されない。画素値は、例えば、ＲＧＢ値、ＹＣｂＣｒ値などである。特徴量は、例えば、階調値の代表値（最大値、最小値、平均値、最頻値、中間値、等）、階調値のヒストグラム、等である。ここでは、特徴量として平均階調値（階調値の平均値；ＡＰＬ）が使用される例を説明する。ＡＰＬ（Ａｖｅｒａｇｅ  Ｐｉｃｔｕｒｅ  Ｌｅｖｅｌ）が大きい場合には、画像表示装置の温度上昇の速度、画像表示装置の消費電力、等が高い。そのため、ＡＰＬが大きい場合に、ＡＰＬが小さい場合に比べ短い時間が閾値として設定されたり、輝度範囲の最大輝度と最小輝度としてＡＰＬが小さい場合に比べ低い値が設定されたりしてもよい。
【００７５】
なお、想定輝度情報として、識別子（ＩＤなど）が使用されてもよい。図７に、想定輝度情報であるＩＤの一例を示す。図７のＩＤ＝１は、バックライト輝度が２０００ｃｄ／ｍ２以上３９９９ｃｄ／ｍ２以下であるシーンが最長で３０秒間継続し、且つ、バックライト輝度が４０００ｃｄ／ｍ２以上〜７９９９ｃｄ／ｍ２以下であるシーンが存在しないことを意味する。ＩＤ＝２は、バックライト輝度が２０００ｃｄ／ｍ２以上３９９９ｃｄ／ｍ２以下であるシーンが最長で３０秒間継続し、且つ、バックライト輝度が４０００ｃｄ／ｍ２以上〜７９９９ｃｄ／ｍ２以下であるシーンが最長で３０秒間継続することを意味する。そのため、想定輝度情報がＩＤ＝１であり、且つ、制限状態が図５の制限状態である場合に、想定性能が画像表示装置１００の制限性能以下であると判断されればよい。そして、想定輝度情報がＩＤ＝２であり、且つ、制限状態が図５の制限状態である場合に、想定性能が画像表示装置１００の制限性能よりも高いと判断されればよい。
【００７６】
なお、制限情報として、識別子が使用されてもよい。図８に、制限情報であるＩＤの一例を示す。図８のＩＤ＝１，２は、「バックライトモジュール１０８が、０ｃｄ／ｍ２以
上１９９９ｃｄ／ｍ２以下のバックライト輝度の光を無制限に出力できる」ことを意味する。図８のＩＤ＝１，２は、「バックライトモジュール１０８が、４０００ｃｄ／ｍ２以上７９９９ｃｄ／ｍ２以下のバックライト輝度の光を出力できない」ことも意味する。図８のＩＤ＝１は、「バックライトモジュール１０８が、３０秒以下の時間であれば、３０００ｃｄ／ｍ２以上３９９９ｃｄ／ｍ２以下のバックライト輝度の光を連続して出力できる」ことも意味する。そして、図８のＩＤ＝２は、「バックライトモジュール１０８が、６０秒以下の時間であれば、３０００ｃｄ／ｍ２以上３９９９ｃｄ／ｍ２以下のバックライト輝度の光を連続して出力できる」ことも意味する。想定輝度情報と制限情報の両方がＩＤである場合には、想定輝度ＩＤ（想定輝度情報であるＩＤ）と制限ＩＤ（制限情報であるＩＤ）との組み合わせに応じて、想定性能が画像表示装置の制限性能以下であるか否かを判断することができる。例えば、想定輝度ＩＤが図７のＩＤ＝１であり、且つ、制限ＩＤが図８のＩＤ＝１である場合に、想定性能が画像表示装置１００の制限性能以下であると判断することができる。想定輝度ＩＤが図７のＩＤ＝２であり、且つ、制限ＩＤが図８のＩＤ＝１である場合に、想定性能が画像表示装置１００の制限性能よりも高いと判断することができる。
【００７７】
なお、想定輝度情報が取得されなかった場合には、入力動画データ、所定の想定輝度情報、及び、制限情報に基づいて、画像表示装置の表示が制御されてもよい。例えば、制限状態が図５の制限状態である場合には、第１輝度範囲の維持可能時間が「無制限」であるため、第１輝度範囲内のバックライト輝度が想定輝度（想定されたバックライト輝度）として使用される。具体的には、第１輝度範囲の最大輝度１９９９ｃｄ／ｍ２が想定輝度として使用される。
【００７８】
なお、想定輝度情報が画像表示装置（画像表示装置）に入力されなかった場合には、想定輝度情報取得部は、入力動画データの階調値の特徴量に基づいて想定輝度情報を生成してもよい。例えば、想定輝度情報取得部は、ＡＰＬが高いほど高い想定輝度を決定する。上述したように、特徴量は特に限定されない。
【００７９】
＜実施例２＞
以下、本発明の実施例２について説明する。なお、以下では、実施例１と異なる構成や処理について詳しく説明し、実施例１と同様の構成や処理についての説明は省略する。また、以下では動画データに対する処理について説明するが、静止画データも利用可能である。
【００８０】
図１０は、本実施例に係る画像表示システムの機能構成の一例を示すブロック図である。図１０に示すように、本実施例に係る画像表示システムは、画像表示装置１１０と情報処理装置１０００を有する。画像表示装置１１０と情報処理装置１０００のそれぞれは、外部装置と接続可能である。図１０では、画像表示装置１１０と情報処理装置１０００が互いに接続されている。情報処理装置１０００としては、画像再生装置（ブルーレイレコーダ、ブルーレイプレーヤ、ハードディスクレコーダ、等）、ＰＣ、撮影装置、等を使用することができる。図１０において、図１（実施例１）と同じ機能部には、図１と同じ符号が付されている。
【００８１】
画像表示装置１１０は、図１の画像表示装置１００が有する機能部の他に、通信部１００５をさらに有する。通信部１００５は、外部装置との通信を行う。本実施例では、通信部１００５は、情報処理装置１０００（後述の通信部１００４）との通信を行う。本実施例では、通信部１００５は、制限状態管理部１０３から制限情報を取得し、制限情報を情報処理装置１０００に出力する。また、通信部１００５は、情報処理装置１０００から想定輝度情報を取得し、想定輝度情報をパラメータ決定部１０４に出力する。
【００８２】
このように、本実施例では、通信部１００５によって想定輝度情報が取得される。そのため、画像表示装置１１０は、想定輝度情報取得部１０２を有していなくてもよい。しかしながら、実施例１と同様に、通信部１００５によって想定輝度情報が取得されず、想定輝度情報が入力動画データに含まれていてもよい。そのような場合には、想定輝度情報取得部１０２が必要となる。また、通信部１００５によって想定輝度情報が取得されると共に、想定輝度情報が入力動画データに含まれていてもよい。その場合には、後述の想定輝度情報取得部１００３によって得られた想定輝度情報が使用されるように、それら２つの想定輝度情報のいずれかを選択すればよい。
【００８３】
情報処理装置１０００は、画像読み出し部１００１、画像出力部１００２、想定輝度情報取得部１００３、及び、通信部１００４を有する。画像読み出し部１００１は、記憶メディア、記憶装置、等から動画データを読み出す。画像出力部１００２は、画像読み出し部１００１によって読み出された動画データを外部に出力する。本実施例では、画像出力部１００２は、動画データを画像表示装置１１０（画像取得部１０１）に出力する。動画データは、ケーブルを介して画像表示装置１１０に出力されてもよいし、無線で画像表示装置１１０に出力されてもよい。画像出力部１００２としては、出力端子、通信インタフェース、等を使用することができる。
【００８４】
想定輝度情報取得部１００３は、画像読み出し部１００１によって読み出された動画データに基づいて、想定輝度情報を取得する（輝度取得）。本実施例では、想定輝度情報取得部１００３は、実施例１の想定輝度情報取得部１０２の処理と同様の処理により、想定輝度情報を取得する。通信部１００４は、外部装置との通信を行う。本実施例では、通信部１００４は、画像表示装置１１０（通信部１００５）との通信を行う。本実施例では、通信部１００４は、画像表示装置１１０から制限情報を取得し（制限取得）、制限情報を想定輝度情報取得部１００３に出力する。また、通信部１００４は、想定輝度情報取得部１００３から想定輝度情報を取得し、想定輝度情報を画像表示装置１１０に出力する。
【００８５】
なお、想定輝度情報取得部１００３によって得られた想定輝度情報は、動画データの補助データとして、画像出力部１００２から出力されてもよい。本実施例では、情報処理装置１０００から画像表示装置１１０に動画データが出力される例を説明したが、これに限られない。画像表示装置１１０に入力される入力動画データが情報処理装置１０００によって取得されれば、画像表示装置１１０は、情報処理装置１０００とは異なる装置から動画データを取得してもよい。本実施例では、情報処理装置１０００が画像表示装置１１０から制限情報を取得する例を説明したが、これに限られない。例えば、情報処理装置１０００は、インターネットに接続された他の装置（サーバなど）から、画像表示装置１１０の制限情報を取得してもよい。
【００８６】
次に、本実施例に係る画像表示システムの処理フローについて、図１１のフローチャートを用いて説明する。まず、ユーザが情報処理装置１０００に対して処理（例えば、動画データの再生）を指示する（Ｓ１１０１）。Ｓ１１０１の指示が行われると、情報処理装置１０００（情報処理装置１０００の不図示の制御部）は、通信部１００４を介して画像表示装置１１０に、画像表示装置１１０の制限状態を問い合わせる（Ｓ１１０２）。画像表示装置１１０（画像表示装置１１０の不図示の制御部）は、情報処理装置１０００から通信部１００５を介してＳ１１０２の問い合わせを受けると、制限情報の通知を行う。具体的には、画像表示装置１１０（画像表示装置１１０の不図示の制御部）は、制限状態管理部１０３から制限情報を読み出し（Ｓ１１０３）、読み出した制限情報を、通信部１００５を介して情報処理装置１０００に通知する（Ｓ１１０４）。これにより、情報処理装置１０００の想定輝度情報取得部１００３は、通信部１００４を介して画像表示装置１１０から、画像表示装置１１０の制限情報を取得する。
【００８７】
また、Ｓ１１０１の指示が行われると、画像読み出し部１００１により、動画データの読み出しが行われる。そして、想定輝度情報取得部１００３は、読み出された動画データから想定輝度情報を抽出する（Ｓ１１０５）。Ｓ１１０４とＳ１１０５の処理が行われると、想定輝度情報取得部１００３は、Ｓ１１０５の処理により抽出された想定輝度情報の編集を行う（Ｓ１１０６）。具体的には、Ｓ１１０６にて、Ｓ１１０５の処理により抽出された想定輝度情報のデータフォーマットが、Ｓ１１０４の処理により取得された制限情報のデータフォーマットに対応するデータフォーマットに変換される。
【００８８】
なお、動画データの読み出しは、Ｓ１１０５の処理よりも前に行われれば、どのタイミングで行われてもよい。Ｓ１１０５の処理は、動画データの読み出しよりも後、且つ、Ｓ１１０６の処理よりも前に行われれば、どのタイミングで行われてもよい。例えば、Ｓ１１０５の処理は、Ｓ１１０４の処理よりも前に行われてもよい。また、制限情報のデータフォーマットに対応するデータフォーマットを有する想定輝度情報が動画データから取得される場合には、Ｓ１１０２〜Ｓ１１０４の処理、Ｓ１１０６の処理、等は省略されてもよい。
【００８９】
Ｓ１１０６の処理の具体例を説明する。まず、制限情報が図５の制限情報である場合の例を説明する。この場合には、例えば、動画データから抽出されたコンテンツ想定輝度情報が、第１輝度範囲、第２輝度範囲、及び、第３輝度範囲のそれぞれについて最大継続時間を示す情報に変換される。図２〜４のコンテンツ想定輝度情報は、第１輝度範囲、第２輝度範囲、及び、第３輝度範囲のそれぞれについて最大継続時間を示す。そのため、動画データから図２〜４のコンテンツ想定輝度情報が抽出された場合には、Ｓ１１０６の処理は省略される。
【００９０】
図１２，１３は本実施例に係る動画データの一例を示す。図１２の動画データに含まれているコンテンツ想定輝度情報のデータフォーマットは、図５の制限情報のデータフォーマットに対応しない。図１２のコンテンツ想定輝度情報は、バックライト輝度１０００ｃｄ／ｍ２，３０００ｃｄ／ｍ２のみが想定されており、且つ、１０００ｃｄ／ｍ２の最大継続時間が６００秒であり、且つ、３０００ｃｄ／ｍ２の最大継続時間が４０秒であることを示す。そのため、図１２の動画データが読み出された場合には、Ｓ１１０６の処理が必要となる。
【００９１】
図１２のコンテンツ想定輝度情報と図５の制限情報とから、１０００ｃｄ／ｍ２が第１輝度範囲に属すことと、３０００ｃｄ／ｍ２が第２輝度範囲に属すこととがわかる。そして、第１輝度範囲（第１輝度範囲に属す１０００ｃｄ／ｍ２）の最大継続時間が６００秒であることと、第２輝度範囲（第２輝度範囲に属す３０００ｃｄ／ｍ２）の最大継続時間が４０秒であることとがわかる。さらに、第３輝度範囲内のバックライト輝度が想定されていないこと、すなわち第３輝度範囲の最大継続時間が０秒であることがわかる。そのため、Ｓ１１０６の処理により、図１２のコンテンツ想定輝度情報は、図３のコンテンツ想定輝度情報に変換される。
【００９２】
図１３の動画データには、コンテンツ想定輝度情報は付加されていない。そのため、図１３の動画データが読み出された場合には、Ｓ１１０６の処理が必要となる。この場合には、例えば、Ｓ１１０６において、シーン想定輝度情報を解析することにより、図５の制限情報に対応するコンテンツ想定輝度情報が生成される。なお、動画データにコンテンツ想定輝度情報は付加されていない場合の処理はこれに限られない。例えば、所定のコンテンツ想定輝度情報が使用されてもよいし、読み出された動画データの階調値の特徴量に基づいてコンテンツ想定輝度情報が生成されてもよい。
【００９３】
次に、制限情報が図８の制限ＩＤである場合の例を説明する。この場合には、例えば、
動画データから抽出されたコンテンツ想定輝度情報が、ＩＤに変換される。具体的には、想定性能が画像表示装置１１０の制限性能以下である場合には、コンテンツ想定輝度情報が、制限ＩＤと同じＩＤに変換される。制限ＩＤが図８のＩＤ＝１であり、且つ、図２の動画データが読み出された場合には、想定性能が制限性能以下であるため、図２のコンテンツ想定輝度情報がＩＤ＝１に変換される。想定性能が制限性能以下であるか否かの判断は、例えば、制限ＩＤと制限性能（制限状態）の対応関係を示す情報を用いて実現できる。想定性能が画像表示装置１１０の制限性能を上回っている場合には、コンテンツ想定輝度情報が、制限ＩＤと異なるＩＤに変換される。例えば、コンテンツ想定輝度情報は、想定輝度以上の制限性能に対応する制限ＩＤと同じＩＤに変換される。想定輝度以上の制限性能に対応する複数の制限ＩＤが存在する場合には、コンテンツ想定輝度情報は、複数の制限ＩＤのうち最も低い制限性能に対応する制限ＩＤと同じ複数のＩＤに変換されてもよい。コンテンツ想定輝度情報は、複数の制限ＩＤと同じ複数のＩＤに変換されてもよい。
【００９４】
Ｓ１１０６の次に、想定輝度情報取得部１００３は、想定輝度情報を、通信部１００４を介して画像表示装置１１０に通知する（Ｓ１１０７）。Ｓ１１０６の処理により想定輝度情報が変換された場合には、変換後の想定輝度情報が通知され、Ｓ１１０６の処理により想定輝度情報が変換されなかった場合には、Ｓ１１０５の処理により抽出された想定輝度情報が通知される。そして、画像表示装置１００のパラメータ決定部１０４は、Ｓ１１０７の処理により通知された想定輝度情報と、制限状態管理部１０３によって管理されている制限情報とに基づいて、パラメータを決定する（Ｓ１１０８）。具体的には、実施例１と同様の処理により、画像補正パラメータとバックライト制御パラメータが決定される。
【００９５】
次に、画像出力部１００２は、画像読み出し部１００１により読み出された動画データを、画像表示装置１１０に出力する（Ｓ１１０９）。そして、画像表示装置１００は、実施例１と同様の処理により、Ｓ１１０９において画像出力部１００２から出力された動画データ（メインストリーム）を、Ｓ１１０８において決定されたパラメータを用いて表示する。なお、Ｓ１１０９の処理は、動画データの読み出しよりも後に行われれば、どのタイミングで行われてもよい。
【００９６】
本実施例でも、実施例１と同様に、入力動画データと想定輝度情報だけでなく、画像表示装置の制限状態をさらに考慮して、画像表示装置の表示が制御される。それにより、表示時間の制限がある画像表示装置での表示品質を向上することができる。
【００９７】
なお、本実施例では、情報処理装置に対するユーザ操作に応じて情報処理装置が制限情報を取得する例を説明したが、これに限られない。例えば、以下の７種類の現象（アクション）の少なくともいずれかに応じて、制限情報が取得されてもよい。
（Ｃ１）情報処理装置に対するユーザ操作、
（Ｃ２）情報処理装置に対する画像表示装置の接続
（Ｃ３）情報処理装置に接続された画像表示装置の変化
（Ｃ４）情報処理装置に接続された画像表示装置の数の変化
（Ｃ５）入力動画データの再生に関する再生モードの変化
（Ｃ６）画像表示装置からの要求
（Ｃ７）制限状態の変化
【００９８】
（Ｃ１）に応じて制限情報を取得する処理は、上述したとおりである。（Ｃ２）〜（Ｃ４）に応じて制限情報を取得する処理は、ソースデバイスとシンクデバイスの接続を検出する通信機構を情報処理装置と画像表示装置のそれぞれに設けることにより、実現することができる。例えば、情報処理装置と画像表示装置のそれぞれに設けられた通信機構を用いることにより、情報処理装置は、情報処理装置に対する画像表示装置の接続を検出する
ことができる。そして、情報処理装置は、情報処理装置に対する画像表示装置の接続が検出されたことに応じて、制限情報を取得することができる。（Ｃ４）の「情報処理装置に接続された画像表示装置の変化」は、「情報処理装置に接続された画像表示装置の他の画像表示装置への変化」、「情報処理装置に接続された画像表示装置のファームウェアの変化」、等を含む。
【００９９】
（Ｃ５）に応じて制限情報を取得する処理は、再生モードを設定する再生モード設定部を情報処理装置に設けることにより、実現することができる。再生モードは、例えば、スロー再生、クイック再生、一時停止、等の再生方法に対応するモードである。再生モードが変わると、動画データの再生所要時間（動画データ全体を再生するのに要する時間）が変わる。そのため、再生モードの変化に応じて制限情報を取得することにより、変化後の再生モードに対応する想定輝度情報を画像表示装置に通知することができる。なお、再生モード設定部は画像表示装置に設けられていてもよい。その場合には、画像表示装置が情報処理装置に再生モードの変化を通知すればよい（（Ｃ６）に対応）。
【０１００】
（Ｃ７）に応じて制限情報を取得する処理は、制限状態管理部が画像表示装置の制限状態を判断することにより、実現することができる。制限状態の判断方法は、実施例１で述べたとおりである。例えば、制限状態管理部は、制限状態を判断することにより、制限状態の変化を検出することができる。画像表示装置は、制限状態の変化が検出されたことに応じて、情報処理装置に要求を出力することができる（（Ｃ６）に対応）。そして、情報処理装置は、画像表示装置からの要求に応じて、制限情報を取得することができる。制限状態の変化に応じて制限情報を取得することにより、変化後の制限状態（変化後の制限情報）に対応する想定輝度情報を画像表示装置に通知することができる。
【０１０１】
＜実施例３＞
以下、本発明の実施例３について説明する。実施例１，２では、画像表示装置により表示輝度情報（補正後の想定輝度情報）が生成される例を説明した。本実施例では、情報処理装置により表示輝度情報が生成される例を説明する。なお、以下では、実施例１，２と異なる構成や処理について詳しく説明し、実施例１，２と同様の構成や処理についての説明は省略する。
【０１０２】
図１４は、本実施例に係る画像表示システムの機能構成の一例を示すブロック図である。図１４に示すように、本実施例に係る画像表示システムは、画像表示装置１１０と情報処理装置１２００を有する。図１４において、図１，１０（実施例１，２）と同じ機能部には、図１，１０と同じ符号が付されている。
【０１０３】
情報処理装置１２００は、図１０の情報処理装置１０００が有する機能部の他に、想定輝度情報補正部１２０１と表示輝度情報合成部１２０２をさらに有する。想定輝度情報補正部１２０１は、通信部１００４によって取得された制限情報に基づいて、想定輝度情報取得部１００３によって取得された想定輝度情報を補正する。それにより、第２輝度範囲内の表示輝度での表示の時間を閾値以下にする表示輝度情報が生成される。想定輝度情報の補正方法、すなわち表示輝度情報の補正方法は、実施例１と同じである。なお、第２輝度範囲内の表示輝度での表示の時間が閾値以下となるように再生速度を変更する場合には、例えば、変更後の再生速度に関する情報が、表示輝度情報として生成されればよい。画像読み出し部１００１が記憶部から動画データを読み出す速度、画像出力部１００２が動画データを出力する速度、等を変更することにより、再生速度が変更されてもよい。表示輝度情報合成部１２０２は、想定輝度情報補正部１２０１によって生成された表示輝度情報を、補助データとして、画像読み出し部１００１によって読み出された動画データに合成する。その結果、想定輝度情報補正部１２０１によって生成された表示輝度情報を含む動画データが、情報処理装置１２００の画像出力部１００２から、画像表示装置１１０の
画像取得部１０１に出力される。なお、表示輝度情報は、情報処理装置１２００の通信部１００４から、画像表示装置１１０の通信部１００５に出力されてもよい。その場合には、情報処理装置１２００は、表示輝度情報合成部１２０２を有していなくてもよい。
【０１０４】
このように、本実施例では、情報処理装置１２００により表示輝度情報が生成され、情報処理装置１２００から表示輝度情報が出力される。そのため、画像表示装置１１０（１０２、通信部１００５、等）は、想定輝度情報ではなく、表示輝度情報を取得する。そして、表示制御部１０９は、入力動画データと表示輝度情報に基づいて、画像表示装置１１０の表示を制御する。具体的には、パラメータ決定部１０４は、想定輝度情報の補正を行わずに、表示輝度情報に応じて画像補正パラメータとバックライト制御パラメータを決定する。
【０１０５】
次に、本実施例に係る画像表示システムの処理フローについて、図１５のフローチャートを用いて説明する。図１５において、図１１（実施例２）と同じ処理には、図１１と同じ符号が付されている。まず、実施例２と同様に、Ｓ１１０１〜Ｓ１１０６の処理が行われる。次に、想定輝度情報補正部１２０１は、想定輝度情報を、Ｓ１１０４の処理により取得された制限情報と比較する（Ｓ１３０１）。そして、想定輝度情報補正部１２０１は、Ｓ１３０１の比較結果に基づいて、表示輝度情報を生成する（Ｓ１３０２）。具体的には、想定性能が画像表示装置１１０の制限性能以下である場合には、想定輝度情報と同じ情報が、表示輝度情報として生成される。想定性能が画像表示装置１１０の制限性能を上回っている場合には、実施例１と同じ方法で想定輝度情報を補正することにより、表示輝度情報が生成される。Ｓ１１０６の処理により想定輝度情報が変換された場合には、Ｓ１３０１，１３０２において、変換後の想定輝度情報が使用される。Ｓ１１０６の処理により想定輝度情報が変換されなかった場合には、Ｓ１３０１，１３０２において、Ｓ１１０５の処理により抽出された想定輝度情報が使用される。
【０１０６】
次に、表示輝度情報合成部１２０２は、画像読み出し部１００１により読み出された動画データに、Ｓ１３０２の処理によって生成された表示輝度情報を合成する。そして、画像出力部１００２は、表示輝度情報が合成された後の動画データを、画像表示装置１１０に出力する（Ｓ１３０３）。次に、画像表示装置１００は、Ｓ１３０３において画像出力部１００２から出力された動画データを表示する（Ｓ１３０４）。具体的には、入力動画データ（画像出力部１００２から出力された動画データ）から表示輝度情報が抽出され、抽出された表示輝度情報に応じてパラメータが決定される。そして、決定されたパラメータを用いて、入力動画データ（メインストリーム）が表示される。
【０１０７】
以上述べたように、本実施例でも、実施例１と同様に、入力動画データと想定輝度情報だけでなく、画像表示装置の制限状態をさらに考慮して、画像表示装置の表示が制御される。具体的には、実施例１と同様の方法で、想定輝度情報と制限情報から表示輝度情報が生成され、入力動画データと表示輝度情報に基づいて画像表示装置の表示が制御される。それにより、表示時間の制限がある画像表示装置での表示品質を向上することができる。
【０１０８】
なお、画像表示装置が通信部を有していない場合、画像表示装置と情報処理装置の間の通信が行えない場合、等においては、情報処理装置は制限情報を取得できない。そのような場合には、想定輝度情報補正部は、表示輝度情報として所定の情報を採用してもよい。所定の情報は、例えば、高確率（１００％（確実）を含む）で画像表示装置が行える表示輝度に関連した表示輝度情報である。一般的な画像表示装置は表示輝度１００ｃｄ／ｍ２での表示を無制限に行うことができる、と考えられる。そのため、情報処理装置が制限情報を取得できなかった場合に、想定輝度情報補正部は、動画データ全体に対して表示輝度が１００ｃｄ／ｍ２であることを示す情報を、表示輝度情報として生成してもよい。それにより、表示輝度情報に関連した表示輝度での表示を高確率で行うことができる。
【０１０９】
なお、実施例１〜３はあくまで一例であり、本発明の要旨の範囲内で実施例１〜３の構成を適宜変形したり変更したりすることにより得られる構成も、本発明に含まれる。実施例１〜３の構成を適宜組み合わせて得られる構成も、本発明に含まれる。
【０１１０】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１１１】
１００，１１０：画像表示装置  １０２，１００３：想定輝度情報取得部
１０４：パラメータ決定部  １０５：画像処理部  １０７：バックライト制御部
１０９：表示制御部  １０００，１２００：情報処理装置  １００２：画像出力部
１００４，１００５：通信部  １２０１：想定輝度情報補正部
【図１】
2017151141.tif 000003
【図２】
2017151141.tif 000004
【図３】
2017151141.tif 000005
【図４】
2017151141.tif 000006
【図５】
2017151141.tif 000007
【図６】
2017151141.tif 000008
【図７】
2017151141.tif 000009
【図８】
2017151141.tif 000010
【図９】
2017151141.tif 000011
【図１０】
2017151141.tif 000012
【図１１】
2017151141.tif 000013
【図１２】
2017151141.tif 000014
【図１３】
2017151141.tif 000015
【図１４】
2017151141.tif 000016
【図１５】
2017151141.tif 000017